(57)【要約】【課題】多様なサイズの原稿を正確な位置に載置でき、原稿の複写時における作業効率を向上させる原稿読取装置を提供する。【解決手段】この発明の原稿読取装置１００は、原稿台１２０、原稿カバー１７０、原稿押さえ板１７１及び中間原稿押さえ板１８０を備えている。原稿台１２０は、原稿が載置される平面ガラス板１３０で構成されている。原稿カバー１７０は、背面側端部を支点に回転自在に支持され、原稿台１２０上面を開閉する。原稿押さえ板１７１は、原稿台１２０に載置された原稿を平面ガラス板１３０へ押圧する。中間原稿押さえ板１８０は、透過性部材からなる。中間原稿押さえ板は、原稿台上で原稿を載置すべき基準位置を示す基準線が表記されている。中間原稿押さえ板１８０は、原稿台１２０と原稿カバー１７０との間で背面側端部を支点に回転自在に支持され、原稿台１２０上面を開閉する。基準線は、原稿押さえ板１７１の底面と同色である。【選択図】図１
2008312092.tif 000002
【特許請求の範囲】
【請求項１】
原稿が載置される平板上の原稿台と、
背面側端部を支点に回転自在に支持され、前記原稿台上面を開閉する原稿カバーと、
前記原稿カバーの底面に固定され、原稿を前記原稿台に押圧する原稿押さえ板と、
透過性部材からなり、前記原稿台上で原稿を載置すべき基準位置を示す基準線が表記された中間原稿押さえ板であって前記原稿台と前記原稿カバーとの間で背面側端部を支点に回転自在に支持され、前記原稿台上面を開閉する中間原稿押さえ板と、を備え、
前記基準線は、前記原稿押さえ板の底面と同色である原稿読取装置。
【請求項２】
前記中間原稿押さえ板を前記原稿カバーで選択的に固定する第１の固定手段を備える請求項１に記載の原稿読取装置。
【請求項３】
前記中間原稿押さえ板で前記原稿台上面を閉鎖している状態を選択的に固定する第２の固定手段を備える請求項１又は２に記載の原稿読取装置。
【請求項４】
前記透過性部材は、可撓性を有する材料からなるシート状である請求項１〜３のいずれかに記載の原稿読取装置。
【請求項５】
前記基準線は、前記原稿押さえ板側に表記された請求項１〜４のいずれかに記載の原稿読取装置。
【請求項６】
前記原稿カバーによる前記原稿台上面の開閉状態を検知する検知部材と、
前記中間原稿押さえ板を利用するモードの設定入力を受け付ける設定手段と、を備え、
前記設定手段が前記モードの設定入力を受け付け、かつ前記検知部材が前記原稿カバーによる前記原稿台上面の閉鎖状態を検知すると、前記第２の固定手段を動作させる制御手段を備えた請求項３〜５のいずれかに記載の原稿読取装置。
【請求項７】
前記検知部材が前記原稿カバーによる前記原稿台上面の開放状態を検知すると、前記制御手段は、前記第２の固定手段による選択的な固定を解除するよう制御する請求項６に記載の原稿読取装置。
【発明の詳細な説明】
【技術分野】
【０００１】
この発明は、ファクシミリ装置や複写機等の画像読み取り機能を備えた原稿読取装置に用いられ、原稿台に原稿を載置する際に使用する原稿読取装置に関する。
【背景技術】
【０００２】
画像読み取り機能を備えた原稿読取装置には、原稿移動式と原稿固定式とがある。ひとつは原稿を画像読み取り部に移動させ、そのときに画像を読み取るタイプである。もうひとつは平面ガラス板で構成された原稿台に原稿を載置し、画像読み取り部を左右に走査させて画像を読み取るタイプである。前者は原稿台を有していないため、原稿読取装置の小型化には適しているが、本などの厚手の原稿を読み取ることはできない。その際には後者のタイプが必要となる。
【０００３】
一般に後者の原稿読取装置には、読み取り面に載置された原稿の位置を目視するために、読み取り面の端辺に基準線が表記されている。しかし、原稿が不定形サイズの場合、実際にどの領域が読み取られるのかの判別が難しい。
【０００４】
上記課題を解決するために、位置決め基準線が表記された透明プラスチック板であって、原稿上に載置可能な透明プラスチック板を備えた原稿読取装置が提案されている（例えば、特許文献１参照。）。
【特許文献１】特開昭５９−０２３３３８号公報
【発明の開示】
【発明が解決しようとする課題】
【０００５】
しかしながら、特許文献１に記載された従来技術では、原稿台における原稿の位置決めを行ったあと、複写前に透明プラスチック板を引き抜く必要があり、原稿の複写時における作業効率に難がある。
【０００６】
この発明の目的は、多様なサイズの原稿を正確な位置に載置でき、原稿の複写時における作業効率を向上させることができる原稿読取装置を提供することにある。
【課題を解決するための手段】
【０００７】
この発明の原稿読取装置は、原稿台、原稿カバー、原稿押さえ板及び中間原稿押さえ板を備えている。原稿台は、原稿が載置される平面ガラス板で構成されている。原稿カバーは、背面側端部を支点に回転自在に支持され、原稿台上面を開閉する。原稿押さえ板は、原稿台に載置された原稿を平面ガラス板へ押圧する。中間原稿押さえ板は、透過性部材からなる。中間原稿押さえ板は、原稿台上で原稿を載置すべき基準位置を示す基準線が表記されている。中間原稿押さえ板は、原稿台と原稿カバーとの間で背面側端部を支点に回転自在に支持され、原稿台上面を開閉する。基準線は、原稿押さえ板の底面と同色である。
【０００８】
この構成では、中間原稿押さえ板に表記された基準線によって原稿の載置位置を決めることができ、原稿を正確な位置に載置できる。また、中間原稿押さえ板は原稿読取装置と一体化しており、中間原稿押さえ板を原稿の複写前に引き抜く必要はない。さらに、基準線は原稿押さえ板の底面と同色であることにより、画像読み取り時に画像として認識されることはない。
【０００９】
この構成において、中間原稿押さえ板を原稿カバーで選択的に固定する第１の固定手段を備えることで、中間原稿押さえ板と原稿カバーとが一体化して回動するため、中間原稿押さえ板を使用しないモード時に、ユーザは中間原稿押さえ板の存在を意識することなく原稿読み取り操作を行える。
【００１０】
また、中間原稿押さえ板で原稿台上面を閉鎖している状態を選択的に固定する第２の固定手段を備えることで、中間原稿押さえ板を利用するモードに対応し、複写時における作業効率を損なわない。
【００１１】
さらに、透過性部材は、可撓性を有する材料からなるシート状であることで、複写時に原稿の形に合わせて変形するため、原稿との密着性が高まる。
【００１２】
中間原稿押さえ板における基準線は、原稿押さえ板側に表記されることで、複写時に基準線と原稿押さえ板とが密着するため、基準線の影が読み取り画像に写りこむことはない。また、基準線は原稿と接触しないため、基準線の汚損防止ともなる。
【００１３】
原稿読取装置は、さらに検知部材、設定手段及び制御手段を備えてもよい。検知部材は、原稿カバーによる原稿台上面の開閉状態を検知する。設定手段は、中間原稿押さえ板を利用するモードの設定入力を受け付ける。設定手段が中間原稿押さえ板を利用するモードの設定入力を受け付け、かつ検知部材が原稿カバーによる原稿台上面の閉鎖状態を検知すると、制御手段は、第２の固定手段を動作させる。
【００１４】
この構成では、検知部材、設定手段及び制御手段を備えることにより、中間原稿押さえ板を利用するモードを使用するか否かに関わらず複写時における作業効率を損なわない。
【００１５】
この構成において、検知部材が原稿カバーによる原稿台上面の開放状態を検知すると、制御手段は、第２の固定手段による選択的な固定を解除するよう制御することで、中間原稿押さえ板と原稿台との固定が解除され、複写後の原稿を取り除くことができ、また新たに原稿の載置ができる。
【発明の効果】
【００１６】
この発明によれば、以下の効果を奏することができる。
【００１７】
中間原稿押さえ板に表記された基準線によって、多様なサイズの原稿を正確な位置に載置できる。
【００１８】
原稿読取装置に中間原稿押さえ板が備えられることで、原稿の複写前に中間原稿押さえ板を引き抜く必要がなくなり、原稿の複写時における作業効率が向上する。
【発明を実施するための最良の形態】
【００１９】
図１は、原稿読取装置の外観図である。原稿読取装置１００は、操作パネル１１０、原稿台１２０、給紙部１６０、原稿カバー１７０、中間原稿押さえ板１８０及び原稿カバー閉検出センサ１９０を備えている。
【００２０】
操作パネル１１０は、平板状を呈し、原稿読取装置１００の前面に突出している。操作パネル１１０は、表示部１４０、指示部１５０等を備えている。表示部１４０は、原稿読取装置１００の動作状態や処理内容を表示する。操作パネル１１０は、指示部１５０の入力を受け付け、原稿読取装置１００の各種動作を制御する。
【００２１】
原稿台１２０は、平面ガラス板１３０で構成されており、上面に原稿が載置される。
【００２２】
給紙部１６０は、原稿読取装置１００の前面に設けられており、画像記録される用紙をストックする。給紙部１６０は、一枚ずつ用紙を給紙する。給紙部１６０から給紙された用紙は、図示しない用紙搬送路を経由して図示しない画像記憶部に搬送される。
【００２３】
中間原稿押さえ板１８０は、一端部が原稿読取装置１００の上面に回動自在に軸支されており、原稿台１２０の上面を開閉する。中間原稿押さえ板１８０は、透過性部材からなる。よって、ユーザは平面ガラス板１３０上に載置された原稿を中間原稿押さえ板１８０を介しても目視可能である。中間原稿押さえ板１８０は、可撓性を有し、複写時に原稿の形に合わせて変形するため原稿との密着性は高い。
【００２４】
原稿カバー１７０は、一端部が原稿読取装置１００の上面に回動自在に軸支されており、原稿台１２０の上面を開閉する。原稿カバー１７０は、原稿台１２０に載置された原稿を平面ガラス板１３０へ押圧する原稿押さえ板１７１を備えている。原稿押さえ板１７１は、スポンジ等の弾性部材を備えており、原稿と中間原稿押さえ板１８０との密着性を向上させる。原稿カバー１７０は、原稿読取装置１００の動作停止中、あるいは運搬時には原稿台１２０上面への塵の侵入を防ぎ、また平面ガラス板１３０を物理的に保護する。画像形成時には原稿台１２０上面への外部からの光を遮光する。
【００２５】
原稿カバー閉検出センサ１９０は、原稿読取装置１００の内部に備えられている。原稿カバー閉検出センサ１９０は、タクトスイッチを備えている。原稿カバー閉検出センサ１９０は、原稿カバー１７０が開放されているときは反応しないが、原稿カバー１７０が閉鎖されるとタクトスイッチが押下され、原稿カバー１７０の閉状態を検出する。
【００２６】
図２は、原稿読取装置の原稿読み取り部における機構図である。図２（Ａ）は原稿読み取り前を表し、図２（Ｂ）は原稿読み取り後を表す。原稿読み取り部２は、平面ガラス板１３０、光源１３、撮像素子１４及び結像光学系１５を備える。
【００２７】
平面ガラス板１３０は、透明なガラスからなり、略矩形状に形成される。平面ガラス板１３０上には、ユーザによって読み取り対象の原稿が載置される。
【００２８】
光源１３は、平面ガラス板１３０における原稿載置面と反対側に配置されている。光源１３は、平面ガラス板１３０上に載置される原稿を照明する。光源１３の周囲には、光源１３からの光を平面ガラス板１３０に集光する反射板１３ａが備えられている。
【００２９】
撮像素子１４は、平面ガラス板１３０における原稿載置面と反対側に配置されている。撮像素子１４は、例えば電荷結合素子である。撮像素子１４は、光源１３によって照明される原稿からの光を受光する。
【００３０】
結像光学系１５は、平面ガラス板１３０における原稿載置面と反対側に配置されている。結像光学系１５は、原稿からの光を撮像素子１４に結像する。結像光学系１５は、結像レンズ１６及びミラー群１７を備える。結像レンズ１６は、複数枚のレンズを略円筒状の枠部材に固定したもので、枠部材としては、アルミニウムやガラス入りの樹脂などが用いられる。ミラー群１７は、原稿からの光を結像レンズ１６に導く。ミラー群１７は、第１ミラー１７ａ、第２ミラー１７ｂ及び第３ミラー１７ｃからなる。光源１３から照射された光は、平面ガラス板１３０上に載置された原稿の表面で乱反射する。原稿の表面から下方に反射した光は、第１ミラー１７ａで反射され、その後第２ミラー１７ｂ、第３ミラー１７ｃの順に反射されて、結像レンズ１６に導かれる。
【００３１】
原稿読み取り部２は、第１走査ユニット２１及び第２走査ユニット２２を備える。
【００３２】
第１走査ユニット２１は、光源１３及び第１ミラー１７ａを備える。第１走査ユニット２１は、図示しない駆動モータ、プーリ及びワイヤからなる駆動系によって駆動され、矢印Ａの方向に一定の速度Ｖで移動する。
【００３３】
第２走査ユニット２２は、第２ミラー１７ｂ及び第３ミラー１７ｃを備える。第２走査ユニット２２は、図示しない駆動モータ、プーリ及びワイヤからなる駆動系によって駆動され、矢印Ａの方向に一定の速度Ｖの２分の１の速度で移動する。
【００３４】
第１走査ユニット２１及び第２走査ユニット２２の移動に伴って、ミラー群１７が平面ガラス板１３０に沿って移動する。結像素子１４に結像する原稿の読み取り位置は、ミラー群１７の移動に伴って平面ガラス板１３０の走査始端側の端Ｐ１から平面ガラス板１３０の走査終端側の端Ｐ２に移動する。第１走査ユニット２１と第２走査ユニット２２の移動中、両者の速度比は２：１に保たれるので、原稿面から結像レンズ１６に至る光路長が一定に保たれる。これによって、端Ｐ１から端Ｐ２までの各読み取り位置で、平面ガラス板１３０上の原稿の画像が歪むことなく、撮像素子１４に結像する。
【００３５】
端Ｐ１は、シェーディング補正用の図示しない基準白板が設けられている位置である。第１走査ユニット２１は、基準白板の下に移動して、基準白板の像を撮像素子１４に結像させることができる。第１走査ユニット２１の基準となる位置を検知するために、図示しない位置センサが設けられている。位置センサは、例えばフォトインタラプタであって、第１走査ユニット２１に設けられた遮光板がフォトインタラプタのスリット部を通過する位置で信号を検出する。駆動系は、検出信号に応じて駆動モータの回転を制御し、第１走査ユニット２１及び第２走査ユニット２２を駆動する。
【００３６】
図３は、原稿読取装置の画像情報の流れを示すブロック図である。原稿読取装置１００は、原稿読み取り部２、画像処理部５、記憶部６及び通信部８を備える。
【００３７】
原稿読み取り部２は、原稿に光を照射し、原稿から反射した光を結像光学系１５に導いて撮像素子１４で読み取る。撮像素子１４で読み取られた原稿の画像信号は、画像処理部５へ出力される。
【００３８】
画像処理部５は、撮像素子１４からの画像信号をＡ／Ｄ変換して画像データに変換し、変換された画像データに色変換処理、フィルタ処理等の画像処理を施す。また、原稿読み取り部２と協働してシェーディング補正を実行する。
【００３９】
記憶部６は、画像処理部５が画像データに画像処理を施す際、一時的に処理対象の画像データを記憶する。記憶部６は、処理された画像データを通信部８を介して外部の機器へ転送し終えるまで保持する。
【００４０】
通信部８は、画像処理部５を介して記憶部６からの画像データを受領し、外部の機器へ転送する。外部の機器として、コンピュータ８７に接続されている。
【００４１】
画像処理部５及び通信部８は、例えばＣＰＵ、ＣＰＵ実行するプログラムを格納するＲＯＭ、作業用の記憶領域を提供するＲＡＭ、画像処理を行う各ブロックの設定値を記憶する不揮発性メモリ、画像処理ならびに通信用の回路ブロックを集積したＬＳＩなどを用いた回路で構成することができる。記憶部６は、ＤＲＡＭや他の方式のメモリ素子で構成することができる。さらにＨＤＤなどの記憶装置で構成することができる。
【００４２】
原稿読取装置１００は、さらに表示部１４０、指示部１５０、ドライバ８３、ドライバ８４及び原稿カバー閉検出センサ１９０を備えている。これらはそれぞれ制御部９と接続されている。
【００４３】
表示部１４０は、例えばドットマトリクスの液晶表示装置である。ユーザは、表示部１４０に表示された情報を認識することができる。
【００４４】
指示部１５０は、例えば液晶表示装置上に設けられたタッチパネルまたは表示部１４０付近に配置されたタクトキーである。ユーザは、指示部１５０を用いて制御部９への指示を入力することができる。
【００４５】
制御部９は、駆動モータ３８の駆動信号を出力するドライバ８３へ制御信号を出力する。これによって、駆動モータ３８の回転を制御することができる。すなわち、第１走査ユニット２１及び第２走査ユニット２２の駆動を制御することができる。
【００４６】
制御部９には原稿カバー閉検出センサ１９０が接続され、原稿カバー１７０の開閉を検出することができる。中間原稿押さえ板１８０を利用するモードに設定されており、かつ原稿カバー閉検出センサ１９０が原稿カバー１７０の閉鎖を検出したら、制御部９はドライバ８４に駆動信号を出力し、ソレノイド１３１を動作させる。
【００４７】
図４は、中間原稿押さえ板に表記された基準線を表す図である。図４は、中間原稿押さえ板１８０を平面ガラス板１３０側から見た図である。規定の原稿サイズであるＢ５、Ａ４、Ａ３の端辺の位置と一致する基準線が、原稿押さえ板１７１の底面と同色で表記されている。図面右上が原稿載置の基準位置となり、中間原稿押さえ板１８０を原稿カバー１７０側から見たときは左上の位置に全ての原稿の左上の角を一致させた状態で位置決めする。
【００４８】
図５は、原稿読取装置の原稿載置部を示す図である。原稿カバー１７０には係合部材１０１が設けられている。中間原稿押さえ板１８０には係合部材１０２、係合部材１０３が設けられている。原稿台１２０の下部には係合部材１０４が設けられている。
【００４９】
係合部材１０４は、ソレノイド１３１に回転自在に軸支されている。係合部材１０４は、一端がスプリング１０６に引っ張られている。係合部材１０４の上部にはシャッター１０５が設けられており、原稿読取装置１００における内部への塵の侵入を防いでいる。
【００５０】
係合部材１０１と係合部材１０２とは係合可能であり、原稿カバー１７０と中間原稿押さえ板１８０とは一体的に回動可能となる。係合部材１０３と係合部材１０４とは係合可能であり、中間原稿押さえ板１８０は原稿台１２０に選択的に固定される。本実施形態では、係合部材１０１と係合部材１０２との係合よりも、係合部材１０３と係合部材１０４との係合のほうが強いものとする。ユーザは、原稿カバー１７０を片手で押さえた状態で中間原稿押さえ板１８０を下側に引っ張ることで係合部材１０１と係合部材１０２との係合を解除することができる。係合部材１０３と係合部材１０４との係合は、ユーザが引っ張っても解除することができない。
【００５１】
なお、図５では係合部材として嵌合部材とフックが用いられているが、これに限定するものではない。例えば、マグネットを用いてもよい。
【００５２】
図６は、中間原稿押さえ板を利用しないモード時の原稿載置部を示す図である。係合部材１０１と係合部材１０２とは係合し、係合部材１０３と係合部材１０４とは係合していない状態である。通常の使用時は、中間原稿押さえ板１８０は原稿カバー１７０と一体化して回動するため、ユーザは中間原稿押さえ板１８０の存在を意識することなく原稿読み取り処理を行うことができる。
【００５３】
図７は、中間原稿押さえ板を利用しないモード時における複写時の原稿載置部を示す図である。係合部材１０１と係合部材１０２とは係合し、係合部材１０３と係合部材１０４とは係合していない状態である。原稿カバーと中間原稿押さえ板が閉鎖され、原稿が平面ガラス板に密着した状態を示す。
【００５４】
図８は、中間原稿押さえ板を利用するモードにおいて、原稿カバーのみが開放され、中間原稿押さえ板は原稿台に固定された状態を示す。ユーザが、指示部１５０を用いて中間原稿押さえ板１８０を利用するモードであることを指示すると、制御部９は、原稿カバー１７０が閉鎖されたことを原稿カバー閉検出センサ１９０により検出して、ソレノイド１３１を駆動する。ソレノイド１３１が駆動されることにより、係合部材１０４がロック位置に移動し、係合部材１０３をロックする。この状態でユーザが原稿カバー１７０を開放すると、係合部材１０１と係合部材１０２との係合が係合部材１０３と係合部材１０４との係合より弱いために、中間原稿押さえ板１８０は原稿台１２０に残り、原稿カバー１７０のみが開放される。
【００５５】
図９は、図８から所定時間の遅延後に、中間原稿押さえ板の固定が解除された状態を示す。原稿カバー閉検出センサ１９０により原稿カバー１７０が開放されたことを検出すると、所定時間（０．５ｓｅｃ程度）の遅延後にソレノイド１３１をオフし、係合部材１０３と係合部材１０４との係合を解除する。このように処理することで、複写後の原稿を取り除くことができ、別の原稿を載置できる。
【００５６】
図１０は、原稿読取装置の制御部の制御を表すフローチャートである。指示部１５０が中間原稿押さえ板１８０を利用するモードを受け付けると（Ｓ１）、原稿カバー閉検出センサ１９０はオンか否かを判定する（Ｓ２）。オンであれば、ソレノイドをオンして（Ｓ３）、係合部材１０３と１０４とを係合させる。その後、原稿カバー閉検出センサ１９０がオンからオフへ変化すると（Ｓ４）、所定時間遅延後、ソレノイドをオフして（Ｓ５）、係合部材１０３と１０４との係合を解除する。
【００５７】
なお、今回開示された実施形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】この発明の実施形態に係る中間原稿押さえ板が用いられる原稿読取装置の略図である。
【図２】同原稿読取装置における原稿読み取り部の機構図である。
【図３】同原稿読取装置の制御部のブロック図である。
【図４】同中間原稿押さえ板に表記された基準線を表す図である。
【図５】同原稿読取装置における原稿台上面の断面図である。
【図６】原稿カバーと同中間原稿押さえ板とが係合した状態を表す断面図である。
【図７】同原稿カバーと同中間原稿押さえ板とが係合し、同原稿台上面を閉鎖した状態を表す断面図である。
【図８】同中間原稿押さえ板と同原稿台とが係合した状態を表す断面図である。
【図９】図８における係合が解除された状態を表す図である。
【図１０】同中間原稿押さえ板を利用するモード時における各部分の動作を表すフローチャートである。
【符号の説明】
【００５９】
１００−原稿読取装置
１２０−原稿台
１３０−平面ガラス板
１７０−原稿カバー
１７１−原稿押さえ板
１８０−中間原稿押さえ板
【図１】
2008312092.tif 000003
【図２】
2008312092.tif 000004
【図３】
2008312092.tif 000005
【図４】
2008312092.tif 000006
【図５】
2008312092.tif 000007
【図６】
2008312092.tif 000008
【図７】
2008312092.tif 000009
【図８】
2008312092.tif 000010
【図９】
2008312092.tif 000011
【図１０】
2008312092.tif 000012